(57)【要約】      （修正有）【課題】１つのパイプクランプで仮設用防音パネルを平行に突設する事ができる防音パネル取り付け用パイプクランプを提供する。【解決手段】パネル本体の周縁から周縁枠を内向きに突設し周縁枠の上下各縁枠の両端部にピン貫通孔を設けてなる枠組み足場用の防音パネルを、枠組み足場側連結パイプ部に取り付けるパイプクランプ２において、パイプクランプの、直角に交わる二つの側面の一方の面に、パイプクランプと同じ高さを持つコの字状金物２ａの向かい合う一面をパイプクランプの直角に交わる他方の側面と同一面になるように固定又は固着し、同一面となったそれぞれの側面に、所定の間隔を設け上方に突き出すＬ字状防音パネル取り付けピンＢを平行に一対になるように固着させる。【選択図】図２
0003204965.tif 000002
【実用新案登録請求の範囲】
【請求項１】
パネル本体の周縁から周縁枠を内向きに突設し周縁枠の上下各縁枠の両端部にピン貫通孔を設けてなる枠組み足場用の防音パネルを、枠組み足場側連結パイプ部に、防音パネルを取り付けるパイプクランプにおいて、該パイプクランプの、直角に交わる二つの面の一方の面に、前記パイプクランプの高さと同じ高さを持つコの字状金物の向かい合う一面を前記パイプクランプの直角に交わる他方の面と同一面になるように固定又は固着し、該同一面となったそれぞれの面に、所定の間隔を設け上方に突き出すＬ字状防音パネル取り付けピンを平行に一対になるように固着させたことを特徴とする防音パネル取り付け用パイプクランプ
【考案の詳細な説明】
【技術分野】
【０００１】本考案は建築現場において仮設足場に取り付けられて工事の騒音が外部に漏れるのを制御する防音パネルの取り付け装置に関するもので、特に本考案は枠組み足場側連結部に水平に取り付け出来る様にした仮設足場用防音パネルの取り付け装置に関する
【背景技術】
【０００２】図３は並列２本の仮設枠組み足場パイプｋａが側連結で組み立てられた外周に仮設枠組み足場用の防音パネルｂｐを養生用クランプｊ２により取り付けた状態を示し、これを養生用クランプｊ２より突設されたｊ１に防音パネルｂｐを挿通し突設して行く時に養生用クランプｊ２同士が平行に設置出来ず防音パネルｂｐに段差が生じていた【０００３】また、防音パネルｂｐを仮設枠組み足場パイプｋａが側連結で組み上げられた箇所に防音パネルｂｐとｂｐを平行に突設するために仮設枠組み足場パイプｋａの一側方に養生用クランプｊ２を突設し防音パネルｂｐを防音パネル用クランプｊ２より溶着されているｊ１に防音パネルｂｐの右設左設上設下設していくさいに設けられている貫通孔に養生用クランプｊ１を挿通させ固定する【０００４】また、防音パネルｂｐを仮設枠組み足場パイプｋａに防音パネルｂｐを側設して行くさいに養生用クランプｊ２同士が干渉して側列に突設出来ないため上記で述べた仮設枠組み足場パイプｋａの側方に建築用鉄番線等を防音パネルｂｐの貫通孔に挿通して仮設足場パイプｋａに防音パネルｂｐを平行に突設出来るように結束をしていた
【考案の概要】
【考案が解決しようとする課題】
【０００５】ところが、上記仮設足場用防音パネルｂｐを上記防音パネル用クランプｊ２を使用して仮設枠組み足場パイプｋａの外周部に取り付けようとすると、特に仮設枠組み足場パイプｋａ側連結部には上記防音パネル用クランプｊ２が２個平行に突設する隙間が無く上記防音パネル用クランプｊ２を段違いに突設して上記防音パネルを突設していため仮設足場用防音パネルにも段差が生じていた。【０００６】また、上記仮設足場用防音パネルｂｐ側連並びに平行に突設するために上記仮設足場用防音パネルを仮設枠組み足場ｋａ側連結部一側方に上記防音パネルクランプを突設して  仮設枠組み足場連結部のもう一側方に建築用鉄番線を用いて上記防音パネルの貫通孔に建築用鉄番線を挿通して仮設枠組み足場ｋａに緊結していた【０００７】上記のように仮設枠組み足場ｋａ側連結部に仮設足場用防音パネルｂｐを突設するにおいて防音パネル用クランプｊ２を２個使用する又仮設枠組み用防音パネルｂｐを平行に突設する時に建築用鉄番線を用いるなど  建築現場側の設備費用の高騰を来すことになる。本考案はこのような事情に鑑み、仮設足場側連結部を防音パネル用クランプ一つで突設出来ることによって、建築用鉄番線を使用せず、作業性の向上および仮設資材の減少による建築現場側の設備費用を軽減することを目的とする
【課題を解決するための手段】
【０００８】パネル本体の周縁から周縁枠を内向きに突設し周縁枠の上下各縁枠の両端部にピン貫通孔を設けてなる枠組み足場用の防音パネルを、枠組み足場側連結パイプ部に、防音パネルを取り付けるパイプクランプにおいて、該パイプクランプの直角に交わる二つの面の一方の面に、前記パイプクランプの高さと同じ高さを持つコの字状金物の向かい合う一面を前記パイプクランプの直角に交わる他方の面と同一面になるように固定又は固着し、該同一面となったそれぞれの面に所定の間隔を設け上方に突き出すＬ字状防音パネル取り付けピンを平行に一対になるように固着させたことを特徴とする。
【考案の効果】
【０００９】図１、図２から実施形態の符号を付して効果を説明すると、本考案の仮設足場側連結部防音パネル取り付けクランプＡは、仮設枠組み足場ｋａの側連結一方に係止するパイプクランプ２とボルトナット７ｂで緊結されたコの字型金物２ａで形成され、該仮設足場側連結部防音パネル取り付けクランプＡの一部所要位置に固着された水平部１ａ、垂直部１で形成されるＬ字状のピンに、仮設枠組み足場用防音パネルｂｐの四隅に設けられた貫通孔ｂｈを側並びＬ字状ピンに挿通すればよく、従来の防音パネル用クランプｊ２を二つ使用しなくてもよい。またこの考案に係る仮設足場側連結部防音パネル取り付けクランプＡは構造が簡単な一つのユニットからなるため、取り扱い及び作業コスト、作業性が良くなると同時に防音パネル用クランプが一つになため高所からの資材落下のリスクが軽減され、また仮設用防音パネルが側並び平行に突設出来るため外観視的にも良くなる。
【図面の簡単な説明】
【００１０】
【図１】本考案形成完成斜視図
【図２】仮設枠組み足場側連結部に本考案クランプと防音パネル設置斜視図
【図３】段差が生じる従来工法による施工例図
【考案を実施するための形態】
【００１１】状ピン水平部１ａの端部をパイプクランプ２の他方の面に固着させ、同様にコの図１は本考案の一実施例でパイプクランプ２に直角に交わる面の一方の面にコの字状金物２ａを金物固定ボルト７ｂにより固定又は固着６ｋし、前記パイプクランプ２の直角に交わる他面にＬ字状ピンＢの該Ｌ字状ピン垂直部１を上方に向け該Ｌ字字状金物２ａに前記パイプクランプ２の面を同一面になる面に前記Ｌ字状ピンＢを固着させる
【００１２】図２は仮設枠組み足場パイプｋａが側連結している箇所に本考案のパイプクランプ２に直角に交わる面の一方の面にコの字状金物２ａを金物固定ボルト７ｂにより固定し又は溶接による固着６ｋし、前記パイプクランプ２の直角に交わる他面にＬ字状ピンＢの該Ｌ字状ピン垂直部１を上方に向け該Ｌ字状ピン水平部１ａの端部をパイプクランプ２の他方の面に固着させ、同様にコの字状金物２ａに前記パイプクランプ２の面を同一面になる面に前記Ｌ字状ピンＢを固着させた前記パイプクランプ２を突設し前記Ｌ字状ピンＢを仮設用防音パネルｂｐの貫通孔ｂｈに並列に挿通さる
【００１３】図３は本考案に至る、背景技術を図面に基ついて説明すると、仮設足場パイプｋａ側連結箇所に従来型のパイプクランプｊ２を該仮設足場パイプｋａの両パイプｋａに突設した時に前記従来型のパイプクランプｊ２が並列に突設出来ない事により該従来型のパイプクランプｊ２に段差が出来る、
【００１４】そのため、仮設足場用防音パネルｂｐが前記仮設足場パイプｋａに仮設足場用防音パネルｂｐを前記従来型パイプクランプｊ２に並列に突設した時に前記仮設用防音パネルｂｐに段差が出来る
【００１５】つまり本考案は、請求項をする事により建築現場における作業性の向上と作業現場側のコスト削減をすることができ又パイプクランプを１つにすることで作業中に資材の落下のリスクも軽減できる、防音パネルを平行に突設する事で建築現場外周辺からの外観視も良くすることが出来る
【符号の説明】
【００１６】Ａ  仮設足場用防音パネル取り付け装置本体
Ｂ  Ｌ字状ピン
１  Ｌ字状ピン垂直部
１ａ  Ｌ字状ピン水平部
２  パイプクランプ
２ａ  コの字金物
６ｋ  コの字状金物固着
６ｙ  Ｌ字状ピン固着
７ｂ  パイプクランプとコの字金物固定ボルト
Ｋａ  仮設枠組み足場
ｂｐ  仮設足場用防音パネル
ｂｈ  防音パネル貫通孔
ｊ１  従来型Ｌ字状ピン
ｊ２  従来型防音パネル取り付け装置本体
【図１】
0003204965.tif 000003
【図２】
0003204965.tif 000004
【図３】
0003204965.tif 000005